(57)【要約】【課題】超音波を発振して生体に振動刺激を与えると共に、生体に低周波パルスを与えてＥＭＳを行うことにより生体の筋肉を刺激して健康マッサージや美容トリートメントを行う超音波および低周波パルスを用いた美容装置を提供する。【解決手段】超音波発振素子を金属ヘッド１９に内設して形成された７個の面状プローブ１７を固定パッド１６に間隔を有して「の」の字型に固定し、前記各面状プローブ１７を次から次へと順番にリレー発振させることにより、生体に超音波による「の」の字型に順に振動刺激を与える一方、前記各面状プローブ１７のうち、両側に位置して対向する４個の面状プローブに超音波発振機能と低周波パルス発振機能を持たせて、該４個の面状プローブにより、生体に低周波パルスを与えて、ＥＭＳを行うようにする。【選択図】図１
2008054701.tif 000002
【特許請求の範囲】
【請求項１】
超音波発振素子を金属ヘッドに内設して形成された７個の面状プローブを固定パッドに間隔を有して「の」の字型に固定し、前記各面状プローブを次から次へと順番にリレー発振させることにより、生体に超音波による「の」の字型に順に振動刺激を与える一方、前記各面状プローブのうち、両側に位置して対向する４個の面状プローブに超音波発振機能と低周波パルス発振機能を持たせて、該４個の面状プローブにより、生体に低周波パルスを与えて、ＥＭＳを行うことを特徴とする超音波および低周波パルスを用いた美容装置。
【請求項２】
請求項１記載の超音波および低周波パルスを用いた美容装置において、低周波パルス発振機能を有する４個の面状プローブの極性を切換えることを特徴とする超音波および低周波パルスを用いた美容装置。
【発明の詳細な説明】
【技術分野】
【０００１】
本発明は、超音波を発振して生体に振動刺激を与えると共に、生体に低周波パルスを与えてＥＭＳを行うことにより生体の筋肉を刺激して健康マッサージや美容トリートメントを行う超音波および低周波パルスを用いた美容装置に関するものである。
【背景技術】
【０００２】
従来、超音波を用いた美容装置としては、下記の非特許文献１に記載されているように、超音波発振素子を金属ヘッドに内包して形成された１２〜１６個の面状プローブを間隔を有して固定パッドに固定し、該固定パッドを腹部、腰部等に配置して、前記各面状プローブを介して生体の１２〜１６個所に、同時に超音波を発振して生体に刺激を与える美容装置が公知である。
【０００３】
【非特許文献１】株式会社三輪サイエンス発行の「超音波美容・健康器ソニックスリム」に関する商品カタログ
【発明の開示】
【発明が解決しようとする課題】
【０００４】
前記非特許文献１に記載された美容装置では、すべての面状プローブに同時に通電して超音波を発振させるので、超音波発振素子が過熱上昇し、生体にとって非常に危険であるという課題があった。
【０００５】
そして、前記超音波発振素子の過熱を回避するため、出力を最大でも前記従来の美容装置の２０分の１程度にしたり、あるいは周波数帯を変えたり、または通電時間を秒単位に短く設定する等、面倒な手段を採る必要があるという課題があった。
【０００６】
本発明は、前記課題を解決すべくなされたもので、超音波発振素子を金属ヘッドに内設して形成された７個の面状プローブを固定パッドに間隔を有して「の」の字型に固定し、前記各面状プローブを次から次へと順番にリレー発振させることにより、生体に超音波による「の」の字型に順に振動刺激を与えた後、前記各面状プローブのうち、両側に位置して対向する４個の面状プローブに超音波発振機能と低周波パルス発振機能を持たせて、該４個の面状プローブにより、生体に低周波パルスを与えて、ＥＭＳを行い、健康マッサージや美容トリートメントを行うことができる超音波および低周波パルスを用いた美容装置を提供しようとするものである。
【課題を解決するための手段】
【０００７】
本発明は、超音波発振素子を金属ヘッドに内設して形成された７個の面状プローブを固定パッドに間隔を有して「の」の字型に固定し、前記各面状プローブを次から次へと順番にリレー発振させることにより、生体に超音波による「の」の字型に順に振動刺激を与える一方、前記各面状プローブのうち、両側に位置して対向する４個の面状プローブに超音波発振機能と低周波パルス発振機能を持たせて、該４個の面状プローブにより、生体に低周波パルスを与えて、ＥＭＳを行うという手段を採用することにより、上記課題を解決した。
【発明の効果】
【０００８】
請求項１の発明によれば、例えば、本発明装置をへそを中心に７個の面状プローブを腹部の皮膚に当接して、小腸および大腸に「の」の字型に超音波振動を与えると、腸の活動（蠕動運動）を助長し、活性化させることができる。そして、前記超音波による発振が終わると、前記７個の面状プローブのうち、両側に位置して対向する４個の面状プローブに低周波パルス信号を発信することにより、該４個の面状プローブの位置する身体部位にＥＭＳを行い、前記超音波発振による刺激に加えて、生体に電気的筋肉刺激を与えて、更に腸の活動を助長し、活性化を図ることができる。前記低周波パルス発振において、プラス電位の部位には興奮作用を与え、且つマイナス電位の部位には鎮静作用を与えることができる。
【０００９】
更に、請求項２の発明によれば、低周波パルスを発する各面状プローブの極性を切換えることによって、各身体部位にプラス電位とマイナス電位の逆の作用を与えるので、めりはりのきいた電気的筋肉刺激を生体に与えることができる。
【実施例】
【００１０】
本発明の実施例につき以下に説明する。本発明は、超音波発振素子を金属ヘッドに内包して形成された７個の面状プローブを固定パッドに間隔を有して「の」の字型に固定し、前記各面状プローブを次から次へと順番にリレー発振させて、該各面状プローブより超音波を生体にリレー照射して、生体に「の」の字型に順に振動刺激を与えると共に、前記７個の面状プローブのうち、両側に対向して位置する４個の面状プローブに低周波パルス発振機能を持たせて、生体にＥＭＳを行うようにしたものである。
【００１１】
ここで、「ＥＭＳ」とは、「Ｅｌｅｃｔｒｉｃａｌ  Ｍｕｓｃｌｅ  Ｓｔｉｍｕｌａｔｉｏｎ」の略で、生体に低周波パルスを与えて「電気的筋肉刺激」を行うことを意味する。通常、筋肉は、脳からの指令によって運動するが、ＥＭＳは、この指令と同じ刺激を電気信号によって与え、筋肉を運動させるシステムである。ＥＭＳによる運動は、自発的な運動より高い筋力値を与えることができ、高い運動効果が確認されている。息が切れたり、関節や骨などに過度の負担をかける心配もないため、長時間のトレーニングが可能である。低周波パルスによる変調された直流の断続通電は最も安全とされ、神経に直接作用し、マヒや痛みを解消させる効果があり、また、断続の刺激は筋肉に影響を与え、緩めたり、引き締めたりの作用を与えることができる。
【００１２】
本発明は、超音波用の電気信号を生成する超音波生成回路、ＥＭＳ用の電気信号を生成するＥＭＳ生成回路、電源スイッチや各種モードを切り替えるための切替スイッチ等を備えるスイッチ回路、前記各回路の制御を行うマイクロコンピュータ等（図示せず）を備えた美容器本体１に、後述する固定パッドに７個の「の」の字型に固定された各面状プローブが接続されている。
【００１３】
前記美容器本体１の前面パネル２には、図１に示すように、パワースイッチ３を備えると共に、超音波およびＥＭＳの出力状態を視認する液晶表示部４が装置され、更にＥＭＳの出力レベルを表示するＥＭＳ出力レベル表示部５を備えている。また、前記前面パネル２には、前記超音波照射のスタート・ストップボタン６・７、その出力のアップ・ダウンボタン８・９と、ＥＭＳの出力のアップ・ダウンボタン１０・１１を備えている。
【００１４】
更に、前記液晶表示部４は、後述する７個の面状プローブのうちのいずれかのプローブの作動時に点灯する表示ランプ１２を備えると共に、ＥＭＳの通電時に点灯する表示ランプ１３をも備えている。
【００１５】
そして、前記美容器本体１の前面パネル２の出力口１４に接続コード１５を介して、固定パッド１６に間隔を有して固定された７個の面状プローブ１７がそれぞれ接続されている。
【００１６】
前記固定パッド１６は、図２に示すように、腰部・腹部等に湾曲しても配置することができるように、可撓性を有すると共に、絶縁性を有するゴム製シートにより、好ましくは方形状に形成される。前記固定パッド１６の施術面側には、７個の面状プローブ１７が間隔を有して「の」の字型に固定されているが、該各面状プローブ１７は、超音波発振素子１８を金属ヘッド１９に内設して形成されている。
【００１７】
前記面状プローブ１７は、特に限定する必要はないが、好ましくは、図３に示すように形成することが推奨される。すなわち、ステンレス製の金属ヘッド１９の中央下面に凹部２０を凹設すると共に、該凹部２０内に超音波発振素子１８を内設すると共に、前記金属ヘッド１９の凹部２０の下面に雄螺子２１を周設した突起２２を垂設し、且つ該突起２２と前記凹部２０間にＯリング２３を装入するＯリング溝２４を周設して形成されている。
【００１８】
前記固定パッド１６は、特に限定する必要はないが、好ましくは、図4・図５に示すように形成することが推奨される。すなわち、絶縁性のゴム製の基板シート２５に７個の面状プローブ１７を「の」の字型に装着する装着孔２６を開口すると共に、該各装着孔２６に前記面状プローブ１７の雄螺子２１と螺合する雌螺子２７を周設したアルミ製のリング２８を螺合して固定する一方、前記基板シート２５の下面より底ゴム２９を嵌合固定して形成される。
【００１９】
そして、前記構成より成る７個の面状プローブ１７のＯリング溝２４にＯリング２３を装入すると共に、該各面状プローブ１７の雄螺子２１を基板シート２５の各リング２８の雌螺子２７に螺合して、各面状プローブ１７を前記基板シート２５にそれぞれ固定し、更に各面状プローブ１７の超音波発振素子１８に通電させる通電コード３０をまとめて、１本の接続コード１５として底ゴム２９の一端から取出して、該底ゴム２９を前記基板シート２５の下面に嵌合固定して固定パッド１６が形成される。
【００２０】
各面状プローブ１７は固定パッド１６に固定されるが、その取付け固定位置は、第１の面状プローブ１７ａが、前記固定パッド１６の中央に固定されると共に、該固定パッド１６の左半分位置において、前記第１の面状プローブ１７ａの左側斜め下方位置に第２の面状プローブ１７ｂを固定し、且つ該第２の面状プローブ１７ｂの左側の斜め上方で、且つ前記第１の面状プローブ１７ａの左側位置に第３の面状プローブ１７ｃを固定し、更に、該第３の面状プローブ１７ｃの右側の斜め上方で、且つ前記第１の面状プローブ１７ａの左側斜め上方位置に第４の面状プローブ１７ｄを固定する。
【００２１】
更に、前記固定パッド１６の右半分の、前記第２〜第４の面状プローブ１７ｂ・１７ｃ・１７ｄの対称位置に、第５〜第７の面状プローブ１７ｅ・１７ｆ・１７ｇがそれぞれ固定される。
【００２２】
前記各面状プローブ１７ａ〜１７ｇを構成する各超音波発振素子１８には、それぞれ美容器本体１の前面パネル２の出力口１４に接続コード１５を介して電気的に接続されており、前記図示していないマイクロコンピュータで設定された時間で、前記各超音波発振素子１８に順に通電して行くことにより、前記面状プローブ１７ａから順に面状プローブ１７ｇまでリレー発振して、該各面状プローブ１７ａ〜１７ｇから、「の」の字型に順に生体に超音波を照射できるように形成されている。
【００２３】
そして、前記７個の面状プローブ１７ａ〜１７ｇのうち、左・右側に位置する面状プローブ１７ｂ・１７ｃおよび１７ｆ・１７ｇを構成する各超音波発振素子１８は、低周波パルスの電極を兼ねていると共に、前記左側に位置する面状プローブ１７ｂ・１７ｃと、右側に位置する面状プローブ１７ｆ・１７ｇとをそれぞれ１組として、一方の組にプラス電位を付与すると、他方の組はマイナス電位が付与されるよう構成され、更に前記各組はそれぞれの極性が転換できるように構成されている。
【００２４】
前記超音波発振機能を有する面状プローブ１７ａ〜１７ｇ、および低周波パルス発振機能をも有する面状プローブ１７ｂ・１７ｃ・１７ｆ・１７ｇの作動時間、停止時間および極性の切換等は、美容器本体１のマイクロコンピュータによって予めプログラミングされ、該プログラミングに従って、超音波照射・ＥＭＳが行われる。
【００２５】
本発明においては、「の」の字型に固定パッド１６に固定された前記面状プローブ１７ａ〜１７ｇが、面状プローブ１７ａから１７ｂ・１７ｃ・１７ｄ・１７ｅ・１７ｆ・１７ｇと順番に「の」の字型に超音波をリレー発振するよう形成され、該超音波を「の」の字型に順にリレー発振することにより、生体に「ほぐし」効果を与えると共に、前記超音波によるリレー発振の後に、面状プローブ１７ｅ・１７ｃ・１７ｆ・１７ｇから低周波パルス発振をすることにより、前記超音波で「ほぐした」後に、ＥＭＳで「引き締め」を行うことができる。
【００２６】
なお、本発明においては、特に限定する必要はないが、好ましくは、７個の面状プローブ１７ａ〜１７ｇに対して順に「１秒間出力」を行い、その後１秒間のＯＦＦタイムがあり、そのＯＦＦタイムの後に次の面状プローブへ「１秒間出力」を行う。これを７番目の面状プローブ１７ｇへ出力するまでの１４秒間と、ＥＭＳ出力６秒間の合計２０秒間の３回繰り返しの６０秒間を、基本プログラムとすることが推奨される。
【００２７】
前記７個の面状プローブ１７ａ〜１７ｇを固定パッド１６に「の」の字型に固定した本発明美容装置の使用方法について説明する。本発明美容装置を腹部に使用する場合、腹部にゼリーを塗布した後、第１の面状プローブ１７ａをへそのやや下に位置するようにすると共に、他の面状プローブ１７ｂ〜１７ｇが皮膚面に当接するようにして固定パッド１６を腹部に装着する。
【００２８】
前記のように、腹部上に固定パッド１６を装着すると、第１の面状プローブ１７ａは、へそ下部に位置して小腸を刺激し、第２の面状プローブ１７ｂは上行結腸部に位置して、大腸入り口付近を刺激し、第３の面状プローブ１７ｃは、上行結腸中部に位置して、上行結腸中部を刺激する。
【００２９】
また、第４の面状プローブ１７ｄは横行結腸前部に位置して、横行結腸前部を刺激し、第５の面状プローブ１７ｅは横行結腸後部に位置して、横行結腸後部を刺激し、第６の面状プローブ１７ｆは下行結腸部に位置して、下行結腸部を刺激し、更に第７の面状プローブ１７ｇは直腸部に位置して、直腸部を刺激する。
【００３０】
前記へそを中心に各面状プローブ１７ａ〜１７ｇを腹部の皮膚に当接して、小腸および大腸に「の」の字型に超音波振動を与えると、腸の活動（蠕動運動）を助長し、活性化させることができる。
【００３１】
そして、前記超音波による発振が終わると、第２・第３・第５・第６の面状プローブ１７ｂ・１７ｃ・１７ｅ・１７ｆに低周波パルス信号を発信することにより、前記各面状プローブ１７ｂ・１７ｃ・１７ｅ・１７ｆの位置する身体部位にＥＭＳを行い、前記超音波発振による刺激に加えて、生体に電気的筋肉刺激を与えて、更に腸の活動を助長し、活性化を図ることができる。前記低周波パルス発振において、プラス電位の部位には興奮作用を与え、且つマイナス電位の部位には鎮静作用を与える。そして、前記低周波パルスを発振する各面状プローブ１７ｂ・１７ｃ・１７ｅ・１７ｆの極性を切換えることによって、各身体部位にプラス電位とマイナス電位の逆の作用を与えるので、めりはりのきいた電気的筋肉刺激を生体に与えることができる。
【００３２】
本発明美容装置は、腹部には１枚の固定パッド１６のみを使用するだけでよいが、背面、肩、ウェスト部、ヒップ、太もも部には、２枚の固定パッド１６を同時に使用することが推奨される。この場合、美容器本体１には２枚の固定パッド１６を同時に使用できるよう、出力口１４を２個備える必要がある（図１においては、２個の出力口１４を備えている）。
【００３３】
なお、本実施例においては、面状プローブ１７ａ〜１７ｇを備えた超音波および低周波パルスを用いた美容装置（図６のＡ部分）についてのみ説明しているが、美容器本体１に、既に汎用されている図示していない１個の面状プローブしか備えていないストレートプローブ２１用の超音波美容装置（図６のＢ部分）を設けることにより、局部的な部位への超音波発振が可能となり、図６に示すように、面状プローブ１７ａ〜１７ｇと合わせて使用すればその利便性が向上する。なお、図６中の、２２は超音波美容装置用のパワースイッチ、２３は超音波の出力レベルを表示する超音波出力レベル表示部、２４・２５は超音波照射のスタート・ストップボタン、２６・２７は超音波の出力のアップ・ダウンボタン、２８は前記ストレートプローブ２１の出力口である。
【図面の簡単な説明】
【００３４】
【図１】本発明の超音波および低周波パルスを用いた美容装置を構成する美容気本体と固定パッドの斜視図である。
【図２】本発明の超音波および低周波パルスを用いた美容装置における固定パッドの斜視図である。
【図３】本発明の超音波および低周波パルスを用いた美容装置における面状プローブの一部を切欠いて示す斜視図である。
【図４】本発明の超音波および低周波パルスを用いた美容装置における面状プローブを固定パッドに取付けた状態を示す縦断面図である。
【図５】本発明の超音波および低周波パルスを用いた美容装置における固定パッドの組立分解斜視図である。
【図６】本発明の超音波および低周波パルスを用いた美容装置の他の実施例を示す斜視図である。
【符号の説明】
【００３５】
１６    固定パッド
１７    面状プローブ
１８    超音波発振素子
１９    金属ヘッド
【図１】
2008054701.tif 000003
【図２】
2008054701.tif 000004
【図３】
2008054701.tif 000005
【図４】
2008054701.tif 000006
【図５】
2008054701.tif 000007
【図６】
2008054701.tif 000008